(57)【要約】 【課題】  ケース内の防水性を確保する。【解決手段】  バスバー２０を保持するインナー部３０をインサートとしてケース１０がインサート成形される。インナー部３０は、ケース１０を成形するための金型に引掛け状態で係止される係止部３３を備え、この係止部３３によって金型内にて同金型の内壁面から浮いた状態で位置決め支持される。係止部３３は、ケース１０の内面から同ケース１０の内側へ向けて突出して形成される。ケース１０は、係止部３３を残してインナー部３０の周囲を樹脂部１３によって被覆して形成される。【選択図】  図６
2005297387.tif 000002
【特許請求の範囲】
【請求項１】
金属部材を保持するインナー部をインサートとしてインサート成形されるケースを備えたインサート成形品であって、
前記インナー部は、前記ケースを成形するための金型に引掛け状態で係止される係止部を備え、この係止部によって前記金型内にて同金型の内壁面から浮いた状態で位置決め支持されるようになっており、かつ、
前記係止部は、前記ケースの内面側に位置しており、
前記ケースは、前記係止部を残して前記インナー部の周囲を樹脂部によって被覆してなることを特徴とするインサート成形品。
【請求項２】
前記係止部は、前記ケースの内面から同ケースの内側へ向けて突出して形成されていることを特徴とする請求項１に記載のインサート成形品。
【請求項３】
金属部材は、前記ケース内に収容されたプリント基板の導体部分または電子部品と電気的に接続可能なバスバーによって構成され、前記係止部は、合成樹脂材によって構成されていることを特徴とする請求項１または請求項２に記載のインサート成形品。
【請求項４】
金属部材を保持するインナー部をインサートとしてインサート成形されるケースを備えたインサート成形品の製造方法であって、
前記インナー部に備えられた係止部を、前記ケースを成形するための金型に引掛け状態で係止して前記インナー部を前記金型内にて同金型の内壁面から浮いた状態で位置決め支持させ、その状態からインサート成形することにより、前記係止部が内面に位置するとともにこの係止部を残して前記インナー部の周囲が樹脂部によって被覆された前記ケースを成形することを特徴とするインサート成形品の製造方法。
【発明の詳細な説明】
【技術分野】
【０００１】
本発明は、インサート成形品及びインサート成形品の製造方法に関する。
【背景技術】
【０００２】
従来より、金属製の導電部材をインサートとして一次成形品を成形し、次いで、この一次成形品をインサートとして二次成形品を成形する手法が知られている（例えば、以下の特許文献１を参照）。これによれば、一次成形の段階で成形した支持部を二次成形用の金型の内壁面に当接させた状態で一次成形品を金型内にセットすることができるので、導電部材を金型内に正確に位置決めすることができるというメリットがある。
【特許文献１】特開平９−３００４０１号公報
【発明の開示】
【発明が解決しようとする課題】
【０００３】
上記の場合、インサート成形後に二次成形品の外面には一次成形品の支持部の端面が露出することになる。そのため、支持部の端面周りから一次成形品と二次成形品との界面に生じた僅かな隙間に水分が侵入する可能性があり、防水性を厳格に確保することが困難な事情があった。特に、ケース内にプリント基板が収容されたＥＣＵケース等においてはケースの外面に支持部の端面が露出していると、そこからの浸水によってケース内の防水性が維持できなくなるという問題があった。
【０００４】
本発明は上記のような事情に基づいて完成されたものであって、防水性を確保することを目的とする。
【課題を解決するための手段】
【０００５】
上記の目的を達成するための手段として、請求項１の発明は、金属部材を保持するインナー部をインサートとしてインサート成形されるケースを備えたインサート成形品であって、前記インナー部は、前記ケースを成形するための金型に引掛け状態で係止される係止部を備え、この係止部によって前記金型内にて同金型の内壁面から浮いた状態で位置決め支持されるようになっており、かつ、前記係止部は、前記ケースの内面側に位置しており、前記ケースは、前記係止部を残して前記インナー部の周囲を樹脂部によって被覆してなる構成としたところに特徴を有する。
【０００６】
請求項２の発明は、請求項１に記載のものにおいて、前記係止部は、前記ケースの内面から同ケースの内側へ向けて突出して形成されているところに特徴を有する。
【０００７】
請求項３の発明は、請求項１または請求項２に記載のものにおいて、金属部材は、前記ケース内に収容されたプリント基板の導体部分または電子部品と電気的に接続可能なバスバーによって構成され、前記係止部は、合成樹脂材によって構成されているところに特徴を有する。
【０００８】
請求項４の発明は、金属部材を保持するインナー部をインサートとしてインサート成形されるケースを備えたインサート成形品の製造方法であって、前記インナー部に備えられた係止部を、前記ケースを成形するための金型に引掛け状態で係止して前記インナー部を前記金型内にて同金型の内壁面から浮いた状態で位置決め支持させ、その状態からインサート成形することにより、前記係止部が内面に位置するとともにこの係止部を残して前記インナー部の周囲が樹脂部によって被覆された前記ケースを成形するようにしたところに特徴を有する。
【発明の効果】
【０００９】
＜請求項１及び請求項４の発明＞
インナー部の係止部を、ケースを成形するための金型に引掛け状態で係止させてインナー部を金型内にて同金型の内壁面から浮かせた状態で位置決め支持し、その状態からインサート成形することにより、係止部が内面に位置するとともにこの係止部を残してインナー部の周囲が樹脂部によって被覆されたケースを成形するようにしたから、ケースの外面に係止部の端面が露出することがない。したがって、ケースの外面からの浸水を防止でき、ケースの内側の防水性を維持することができる。
【００１０】
＜請求項２の発明＞
係止部はケースの内面から同ケースの内側へ向けて突出して形成されているから、係止部を金型の上型と下型との間に挟み込んだ状態でインサート成形することが可能となり、金型構造を簡略化することができる。
【００１１】
＜請求項３の発明＞
金属部材は、導電性を有してケース内に収容されたプリント基板の導体部分または電子部品と接続可能なバスバーによって構成され、係止部が合成樹脂材によって構成されているから、バスバーの絶縁がとられてリークの発生を防止することができる。
【発明を実施するための最良の形態】
【００１２】
本発明の実施形態を図１ないし図６によって説明する。本実施形態に係るインサート成形品は、ケース１０の内側にプリント基板が収容された電子制御ユニット（ＥＣＵ）に適用した場合の一例であって、図１にはケース１０の全体が示されている。
【００１３】
ケース１０は、合成樹脂製で上面開放の箱型に形成され、その内側にはプリント基板が収容されるとともに複数のバスバーが配索されている。
ケース１０の開口には図示しないカバーが被せられてケース１０内の防水性が確保され、また、ケース１０の外周縁の所定位置には、ケース１０を車両のボディに取り付けるための取付孔１１が貫設されており、ここに挿通されるボルトによってケース１０がボディに取り付けられるようになっている。
【００１４】
ケース１０の側壁１２の所定部位にはその壁面に沿って帯板状のバスバー２０が埋設されている。図１に示す右側の側壁１２の張出し部分に埋設されたバスバー２０は、図２に示すように、クランク状に延出して形成されてその端部がケース１０内に臨んでプリント基板及び電子部品に接続可能とされている。かかる部分の成形を行うに際し、予めバスバー２０をインサートとしたインナー部３０がインサート成形される。
【００１５】
インナー部３０は、図３に示すように、厚み方向に一定間隔をあけて配された二つのバスバー２０と、各バスバー２０の互いの対向面を被覆する合成樹脂製の保持部３１とを備え、保持部３１によって各バスバー２０が一定間隔に保持されている。保持部３１における図３に示す右下コーナー部分及び左上コーナー部分は、断面略Ｌの字に切り欠かれた切り欠き凹部３２となっており、この切り欠き凹部３２の内側にケース１０の樹脂部１３（後述する）が進入することで樹脂部１３との係合力が高められてインナー部３０がケース１０から抜け出ないようになっている。そして、下側に配置されたバスバー２０の図３に示す左側方には合成樹脂製の係止部３３が保持部３１と一体に連なって形成されている。
【００１６】
係止部３３は、根元から先端にかけて略水平に突出して形成され、二次成形用の金型に引掛け状態で係止可能とされており、この係止部３３と金型との係止によってインナー部３０が金型内にて同金型の内壁面から浮いた状態で位置決め支持されるようになっている。係止部３３の根元には凹段部３４が設けられており、この凹段部３４が金型の凸段部６３と凹凸嵌合することにより、インナー部３０が横方向へ遊動規制されるようになっている。詳しくは凹段部３４は、係止部３３の上面にて上向きに開口する断面略コの字状に形成され、凸段部６３と緊密に嵌合可能とされている。
【００１７】
上記のインナー部３０をインサートとしてインサート成形されるケース１０は、係止部３３を残してインナー部３０の周囲を樹脂部１３（保持部３１と同じ合成樹脂材によって構成される）によって被覆して形成されている。ここで、係止部３３は、ケース１０の内面側に位置するとともに、凹段部３４を境としてケース１０の内面から同ケース１０の内方へ向けて突出して形成されている。
【００１８】
続いて、二次成形用の金型の構造について説明すると、この金型は、図３に示すように、下型６０と上型６１とから構成されている。このうち上型６１には、係止部３３の形状と対応する形態に凹み形成された係止受け部６２が設けられ、この係止受け部６２の内壁面に前記凸段部６３が下向きに突出して設けられている。係止受け部６２には型閉じに伴なって係止部３３が嵌合可能とされ、この嵌合に伴なって係止部３３が上型６１と下型６０との間に挟持されるとともに保持部３１がキャビティ６６内に浮いた状態で配されるようになっている。
【００１９】
次に、本実施形態にかかるケース１０の製造方法について説明する。まず、バスバー２０をインサートとしてインサート成形することによりインナー部３０を成形する。続いて、図３から図４にかけて示すように、インナー部３０に対して下型６０と上型６１とを接近させ、係止受け部６２に係止部３３を嵌め込むようにして型閉じをする。型閉じが完了するに伴ない、係止部３３が上型６１と下型６０との間に挟持されるとともに係止部３３の凹段部３４と上型６１の凸段部６３とが凹凸嵌合し、もってインナー部３０が縦横方向へ遊動規制されつつ金型の内壁面から浮いた状態で位置決め支持される。この状態から金型のキャビティ６６内に溶融樹脂を射出充填する。溶融樹脂を冷却して固化し、型開きをすると、図６に示す側壁１２部分を含むケース１０の全体が得られる。完成品としてのケース１０は、その内面側に係止部３３を露出して配する一方、その樹脂部１３によって保持部３１の全体を被包する形態とされる。
【００２０】
このように本実施形態によれば、インナー部３０をインサートとしてインサート成形するに際し、係止部３３を金型に引掛け状態で係止することで、インナー部３０が金型内にて同金型の内壁面から浮いた状態で位置決め支持されるようになっているから、係止部３３を余したインナー部３０の周囲全体を樹脂部１３によって被覆することが可能となる。このとき、係止部３３がケース１０の内面側に位置しているから、ケース１０の外面側に係止部３３の端面等が露出することがなく、ケース１０の外面側からの浸水を確実に防止でき、その結果、ケース１０内の防水性を維持することができる。また、リークの発生を防止することができる。
【００２１】
さらに、係止部３３はケース１０の内面から同ケース１０の内側へ向けて突出して形成されているから、係止部３３を上型６１と下型６０との間に挟み込んだ状態でインサート成形することが可能となり、金型構造を簡略化することができる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２３】
（１）上記実施形態では、バスバーをインサートとしてインサート成形することでインナー部を構成していたが、本発明においては、インサート成形されることなくバスバーとこのバスバーを保持可能なカバーとからインナー部を構成してもよい。
【００２４】
（２）上記実施形態では、係止部はケースの内側へ向けて突出して形成されていたが、本発明においては、係止部はケースの内面側に位置して金型と引掛け状態で係止可能な形態であればよく、例えば、ケースの側壁の内部に引っ込んで形成されていてもよい。
【００２５】
（３）上記実施形態では、係止部は合成樹脂材によって構成されていたが、本発明においては、係止部はバスバーの一部によって構成されていてもよい。これによれば、係止部としてバスバーをケースの内側へ向けて突出させることにより、このバスバーとケース内に配された導体部分とを電気的に接続することができる。
（４）上記実施形態では、インナー部はバスバーを保持していたが、本発明においては、インナー部はバスバー以外の単なる金属部材を保持するものでもよい。
【図面の簡単な説明】
【００２６】
【図１】本発明の実施形態に係るＥＣＵケースの平面図
【図２】バスバーの埋設状態を示す要部拡大平面図
【図３】インナー部を金型にセットする前の状態を示す断面図
【図４】インナー部を金型にセットした状態を示す断面図
【図５】キャビティ内に溶融樹脂を充填した状態を示す断面図
【図６】型開きをしてインナー部を取り出し可能とした状態を示す断面図
【符号の説明】
【００２７】
１０…ケース
１３…樹脂部
２０…バスバー
３０…インナー部
３３…係止部
６０…下型
６１…上型
６２…係止受け部
【図１】
2005297387.tif 000003
【図２】
2005297387.tif 000004
【図３】
2005297387.tif 000005
【図４】
2005297387.tif 000006
【図５】
2005297387.tif 000007
【図６】
2005297387.tif 000008